(57)【要約】【課題】高精度の、しかも連続測定も可能なシアン濃度測定方法及び測定装置を提供する。【解決手段】試料水Ｓ０を２５．７℃未満で氷結しない温度環境下にて撹拌し、試料水Ｓ０から硫化水素を気化させて除去する前処理を行い、その後、イオン電極又はシアン化水素ガスセンサにて試料水のシアン濃度を測定するシアン濃度測定方法である。【選択図】図１
2008076235.tif 000002
【特許請求の範囲】
【請求項１】
試料水のシアン濃度を測定するシアン濃度測定方法において、
試料水を２５．７℃未満で氷結しない温度環境下にて撹拌し、試料水から硫化水素を気化させて除去する前処理を行い、その後、イオン電極又はシアン化水素ガスセンサにて試料水のシアン濃度を測定することを特徴とするシアン濃度測定方法。
【請求項２】
前記試料水の撹拌は、試料水にエアーを供給し、バブリング処理することにより行うことを特徴とする請求項１のシアン濃度測定方法。
【請求項３】
前記前処理は、氷結しない温度〜１０℃の温度環境下にて実施することを特徴とする請求項１又は２のシアン濃度測定方法。
【請求項４】
試料水は、ｐＨ８．５以下となるようにｐＨ調整を行った後、前記前処理を実施することを特徴とする請求項１〜３のいずれかの項に記載のシアン濃度測定方法。
【請求項５】
前記前処理されて硫化水素が除去された、シアン化物イオンを含む試料水を前記イオン電極へと供給してシアン化物イオン濃度を測定することを特徴とする請求項１〜４のいずれかの項に記載のシアン濃度測定方法。
【請求項６】
前記前処理されて硫化水素が除去された試料水を攪拌することにより生じたシアン化水素を含む気体をシアン化水素ガスセンサへと供給してシアン化水素ガス濃度を測定することを特徴とする請求項１〜４のいずれかの項に記載のシアン濃度測定方法。
【請求項７】
前記前処理されて硫化水素が除去された試料水を攪拌することにより生じたシアン化水素を含む気体を吸収液に吸収させ、この吸収液を前記イオン電極へと供給してシアン化物イオン濃度を測定することを特徴とする請求項１〜４のいずれかの項に記載のシアン濃度測定方法。
【請求項８】
前記吸収液は、アルカリ性溶液であることを特徴とする請求項７に記載のシアン濃度測定方法。
【請求項９】
前記前処理は、２５．７℃未満で氷結しない温度環境下にて硫化水素が除去された後、硫化水素が除去された試料水を、２５．７℃以上、１００℃未満の温度環境下にて撹拌することにより生じたシアン化水素を含む気体をシアン化水素ガスセンサへと供給してシアン化水素ガス濃度を測定することを特徴とする請求項１〜４のいずれかの項に記載のシアン濃度測定方法。
【請求項１０】
前記前処理は、２５．７℃未満で氷結しない温度環境下にて硫化水素が除去された後、硫化水素が除去された試料水を、２５．７℃以上、１００℃未満の温度環境下にて撹拌することにより生じたシアン化水素を含む気体を吸収液に吸収させ、この吸収液を前記イオン電極へと供給してシアン化物イオン濃度を測定することを特徴とする請求項１〜４のいずれかの項に記載のシアン濃度測定方法。
【請求項１１】
前記吸収液は、アルカリ性溶液であることを特徴とする請求項１０に記載のシアン濃度測定方法。
【請求項１２】
前記前処理は、バッチ式にて行われることを特徴とする請求項１、２、３、４、５、９、１０、又は１１に記載のシアン濃度測定方法。
【請求項１３】
前記前処理は、連続フロー式にて行われることを特徴とする請求項１〜８のいずれかの項に記載のシアン濃度測定方法。
【請求項１４】
試料水のシアン濃度を測定するシアン濃度測定装置において、
試料水とエアーが供給され、試料水を２５．７℃未満で氷結しない温度環境下にてバブリング処理し、試料水から硫化水素を気化させて除去するための気液分離手段を備えた前処理槽と、
前記気液分離手段により硫化水素が除去された後のシアン化物イオンを含む試料水を受容しシアン化物イオン濃度を測定するイオン電極を備えたイオン計と、
を有することを特徴とするシアン濃度測定装置。
【請求項１５】
前記前処理槽は、恒温槽であることを特徴とする請求項１４に記載のシアン濃度測定装置。
【請求項１６】
試料水のシアン濃度を測定するシアン濃度測定装置において、
試料水とエアーが供給され、試料水を２５．７℃未満で氷結しない温度環境下にてバブリング処理し、試料水から硫化水素を気化させて除去するための気液分離手段を備えた気液分離前処理槽と、
前記気液分離前処理槽にて硫化水素が除去された後、前記気液分離前処理槽から供給されたシアン化水素を含む気体を受容しシアン化水素ガス濃度を測定するシアン化水素ガスセンサを備えたガス計と、
を有することを特徴とするシアン濃度測定装置。
【請求項１７】
試料水のシアン濃度を測定するシアン濃度測定装置において、
試料水とエアーが供給され、試料水を２５．７℃未満で氷結しない温度環境下にてバブリング処理し、試料水から硫化水素を気化させて除去するための気液分離手段を備えた気液分離前処理槽と、
アルカリ性溶液であるシアン化水素吸収液を収容し、前記気液分離前処理槽により硫化水素が除去された後の前記気液分離前処理槽からのシアン化水素を含む気体が供給される吸収前処理槽と、
前記吸収前処理槽から供給されたシアン化物イオンを含む被検液のシアン化物イオン濃度を測定するイオン電極を備えたイオン計と、
を有することを特徴とするシアン濃度測定装置。
【請求項１８】
前記気液分離前処理槽は、恒温槽又は温調槽であることを特徴とする請求項１６又は１７に記載のシアン濃度測定装置。
【発明の詳細な説明】
【技術分野】
【０００１】
本発明は、例えば、河川、下水、事業所の流入水や排水中のシアン化物の濃度を測定するためのシアン濃度測定方法及び測定装置に関するものである。
【背景技術】
【０００２】
従来、河川、下水、事業所の流入水や排水などのシアン化物の濃度測定は重要であり、種々のシアン計が使用されている。特に、連続測定が必要なケースも多く、連続測定に対応可能なイオン電極式シアン計等を備えたシアン濃度測定装置が広く利用されている。
【０００３】
しかし、取水口や排水ラインなどで使用される、イオン電極式シアン計を備えたシアン濃度測定装置は、イオン電極として、先端がヨウ化銀と硫化銀の混合物からなる固体膜感応素子となっている。そのため、測定原理上、共存する可能性の高い、硫化水素などの硫化物の影響を受けて、指示の上昇や振り切れによる誤警報や、短時間での感度劣化を引き起こす、などの深刻なダメージを受けるケースが多く、問題となっている。
【０００４】
従って、シアン濃度測定装置は、硫化物の影響を軽減する目的で、シアン計による測定の前段に前処理部を設け、硫化物をマスキング剤（例えば、ビスマス塩、カドミウム塩など）によりマスキングするなどの前処理を行うことが行われている（例えば、特許文献１参照）。また、特許文献２には、被検液中にＰｂＯ2などを顆粒状とした脱硫剤を投入することが開示されている。
【特許文献１】特開昭５１−６２０８８号公報
【特許文献２】特開昭５４−５０３９７号公報
【発明の開示】
【発明が解決しようとする課題】
【０００５】
しかしながら、特許文献１のように、マスキング剤による前処理を行う場合には、シアン化物イオンまでを除去してしまうためにマスキング剤濃度をあるレベル以上には高くできないなどの制限がある。従って、結果的にマスキング能力が不十分な状態となり、依然として誤警報や感度劣化を引き起こしてしまうケースが多く存在しているというのが実状である。
【０００６】
又、特許文献２に開示されるように、被検液中に脱硫剤を投入した場合には、脱硫後、脱硫剤を被検液中から除去することが必要とされ、測定作業が煩雑となる。また、連続測定が必要なケースには採用するのが困難である。
【０００７】
本発明者は、上記従来の問題点を解決するべく多くの研究実験を行った結果、シアン化水素（シアン化物）と硫化水素（硫化物）の沸点が大きく異なることに着目し、その違いが影響して生じる両成分の異なる挙動を利用して、高精度の、しかも連続測定も可能なシアン濃度測定が可能であることを見出した。
【０００８】
本発明は、斯かる本発明者の新規な知見に基づき成されたものである。
【０００９】
本発明の目的は、高精度の、しかも連続測定も可能なシアン濃度測定方法及び測定装置を提供することである。
【課題を解決するための手段】
【００１０】
上記目的は本発明に係るシアン濃度測定方法及び測定装置にて達成される。要約すれば、第１の本発明によれば、試料水のシアン濃度を測定するシアン濃度測定方法において、
試料水を２５．７℃未満で氷結しない温度環境下にて撹拌し、試料水から硫化水素を気化させて除去する前処理を行い、その後、イオン電極又はシアン化水素ガスセンサにて試料水のシアン濃度を測定することを特徴とするシアン濃度測定方法が提供される。
【００１１】
第１の本発明にて、一実施態様によれば、前記試料水の撹拌は、試料水にエアーを供給し、バブリング処理する。
【００１２】
他の実施態様によれば、前記前処理は、氷結しない温度（例えば０℃）〜１０℃の温度環境下にて実施する。
【００１３】
他の実施態様によれば、試料水は、ｐＨ８．５以下となるようにｐＨ調整を行った後、前記前処理を実施する。
【００１４】
他の実施態様によれば、前記前処理されて硫化水素が除去された、シアン化物イオンを含む試料水を前記イオン電極へと供給してシアン化物イオン濃度を測定する。
【００１５】
他の実施態様によれば、前記前処理されて硫化水素が除去された試料水を攪拌することにより生じたシアン化水素を含む気体をシアン化水素ガスセンサへと供給してシアン化水素ガス濃度を測定する。
【００１６】
他の実施態様によれば、前記前処理されて硫化水素が除去された試料水を攪拌することにより生じたシアン化水素を含む気体を吸収液に吸収させ、この吸収液を前記イオン電極へと供給してシアンイオン濃度を測定する。
【００１７】
他の実施態様によれば、前記吸収液は、アルカリ性溶液である。
【００１８】
他の実施態様によれば、前記前処理は、２５．７℃未満で氷結しない温度環境下にて硫化水素が除去された後、硫化水素が除去された試料水を、２５．７℃以上、１００℃未満の温度環境下にて撹拌することにより生じたシアン化水素を含む気体をシアン化水素ガスセンサへと供給してシアン化水素ガス濃度を測定する。
【００１９】
他の実施態様によれば、前記前処理は、２５．７℃未満で氷結しない温度環境下にて硫化水素が除去された後、硫化水素が除去された試料水を、２５．７℃以上、１００℃未満の温度環境下にて撹拌することにより生じたシアン化水素を含む気体を吸収液に吸収させ、この吸収液を前記イオン電極へと供給してシアンイオン濃度を測定することができ、また、他の実施態様によれば、前記吸収液は、アルカリ性溶液とすることができる。
【００２０】
他の実施態様によれば、前記前処理は、バッチ式にて行われる。また、他の実施態様によれば、前記前処理は、連続フロー式にて行われる。
【００２１】
第２の本発明によれば、試料水のシアン濃度を測定するシアン濃度測定装置において、
試料水とエアーが供給され、試料水を２５．７℃未満で氷結しない温度環境下にてバブリング処理し、試料水から硫化水素を気化させて除去するための気液分離手段を備えた前処理槽と、
前記気液分離手段により硫化水素が除去された後のシアン化物イオンを含む試料水を受容しシアン化物イオン濃度を測定するイオン電極を備えたイオン計と、
を有することを特徴とするシアン濃度測定装置が提供される。一実施態様によれば、前記前処理槽は、恒温槽である。
【００２２】
第３の本発明によれば、試料水のシアン濃度を測定するシアン濃度測定装置において、
試料水とエアーが供給され、試料水を２５．７℃未満で氷結しない温度環境下にてバブリング処理し、試料水から硫化水素を気化させて除去するための気液分離手段を備えた気液分離前処理槽と、
前記気液分離前処理槽にて硫化水素が除去された後、前記気液分離前処理槽から供給されたシアン化水素を含む気体を受容しシアン化水素ガス濃度を測定するシアン化水素ガスセンサを備えたガス計と、
を有することを特徴とするシアン濃度測定装置が提供される。
【００２３】
第４の本発明によれば、試料水のシアン濃度を測定するシアン濃度測定装置において、
試料水とエアーが供給され、試料水を２５．７℃未満で氷結しない温度環境下にてバブリング処理し、試料水から硫化水素を気化させて除去するための気液分離手段を備えた気液分離前処理槽と、
アルカリ性溶液であるシアン化水素吸収液を収容し、前記気液分離前処理槽により硫化水素が除去された後の前記気液分離前処理槽からのシアン化水素を含む気体が供給される吸収前処理槽と、
前記吸収前処理槽から供給されたシアン化物イオンを含む被検液のシアン化物イオン濃度を測定するイオン電極を備えたイオン計と、
を有することを特徴とするシアン濃度測定装置が提供される。
【００２４】
第３及び第４の本発明にて、一実施態様によれば、前記気液分離前処理槽は、恒温槽又は温調槽である。
【発明の効果】
【００２５】
本発明のシアン濃度測定方法及び測定装置は、高精度で、しかも連続測定も可能である。
【発明を実施するための最良の形態】
【００２６】
以下、本発明に係るシアン濃度測定方法及び測定装置を図面に則して更に詳しく説明する。
【００２７】
本発明は、上述のように、シアン化水素（ＨＣＮ）と硫化水素（Ｈ2Ｓ）の沸点が大きく異なることに起因して生じる両成分の異なる挙動を利用する。
【００２８】
更に説明すると、シアン化水素（ＨＣＮ）の沸点は、常温付近（２５．７℃）にあり、シアン化物は、図７、図８に示すように、例えば５℃などの低温環境下では、中性（ｐＨ７）以下の、例えばｐＨ１．７といった酸性側のｐＨであっても気相中に存在し難く、殆どが液相中に存在し続ける性質を持っている。
【００２９】
それに対して、硫化水素（Ｈ2Ｓ）は、沸点が−６０．７℃であり、図８に示すように、中性以下のｐＨであれば、硫化物は、例えば５℃という低温環境下であっても全てが短時間で気化し、気相中に存在する性質を持っている。
【００３０】
従って、例えば、両成分を含む５℃の付近の溶液に撹拌やバブリングなどの処置を施すと、図９に示すように、硫化水素（硫化物）は短時間で気相中に移動して溶液中には存在しなくなる。これに対してシアン化水素（シアン化物）は、長時間に亘って溶液中に存在する。
【００３１】
本発明は、この性質の違いを利用する。つまり、測定前の試料水の前処理段階で硫化物を実質的に完全に除去し、シアン化物は、試料水中に残存している状態を形成することが可能であり、このメカニズムを利用して試料水中のシアンの濃度を測定する。
【００３２】
図９を参照して更に説明すると、図９は、１０ｍｇ／Ｌシアン化物（ＣＮ-）と、１０ｍｇ／Ｌ硫化物（ＨＳ-）を含む中性（ｐＨ６．８６）溶液の入ったビンを２℃の雰囲気中に置き、０．５ｍＬ／ｍｉｎでエアーをバブリングさせた時の気相中のシアン化水素（ＨＣＮ）及び硫化水素（Ｈ2Ｓ）の濃度の測定結果を示す。
【００３３】
つまり、硫化水素（Ｈ2Ｓ）は、約１０分間のバブリングでゼロ指示となり、短時間でなくなってしまったのに対して、シアン化水素（ＨＣＮ）は、５時間後でも残存している指示となった。図９は、硫化水素（Ｈ2Ｓ）がなくなった後もシアン化水素（ＨＣＮ）は長時間に亘って残存していることを示しており、従って、この原理を利用して両成分の分離を行えば、硫化水素に影響されないシアン分析が可能である。
【００３４】
以下に、本発明に従ったシアン濃度測定方法及び測定装置を実施例に沿って説明する。
【００３５】
実施例１
図１に、本発明の第一の実施例に従ったバッチ式のシアン濃度測定装置１の概略構成を示す。
【００３６】
本実施例にて、シアン濃度測定装置１は、被検液中のシアン化物イオン濃度を測定するイオン電極式シアン計、即ち、シアン分析計（例えば、東亜ディーケーケー株式会社製「ＣＮＭＳ−３」：商品名）１００を備えている。本実施例によれば、シアン計による濃度測定の前処理手段２として、前処理槽３を備えている。前処理槽３は、恒温槽とされ、シアン化水素（ＨＣＮ）の沸点である２５．７℃未満で、氷結しない温度（通常、０℃以上）、好ましくは、２℃〜１０℃、に維持されている。
【００３７】
また、前処理槽３は、気液分離手段４を備えている。気液分離手段４は、ヘッドスペース（拡散）を利用するヘッドスペース利用型、或いは、気液分離体（隔膜や気液分離構造など）を利用する気液分離体型、のものを好適に使用し得る。
【００３８】
気液分離手段４は、液貯留部４ａとガス貯留部４ｂとを備えており、所定量の試料水Ｓ０がポンプ５及びバルブ６を介して液貯留部４ａに供給される。
【００３９】
前処理槽３、即ち、気液分離手段４へと供給される下水等の試料水Ｓ０は、アルカリ性であることが好ましい。従って、前処理槽３に送給するに先立って事前にｐＨ調整することが好ましい。試料水Ｓ０は、中性以下、即ち、ｐＨ７以下が好ましい。効率は低下するが、ｐＨ８．５までは許容し得る。
【００４０】
一方、気液分離手段４の液貯留部４ａには、液撹拌手段が配置される。本実施例にて、液撹拌手段としては、エアーによるバブリングが利用される。つまり、本実施例では、試料水の攪拌は、気液分離手段４の液貯留部４ａに、ポンプ７及びバルブ８を介してエアー（清浄エアー）Ｇ０を供給し、バブリング処理することにより実施される。
【００４１】
バブリング処理以外の攪拌手段としては、回転子や撹拌羽根を利用する方法、振動を利用する方法などが挙げられる。
【００４２】
本実施例によると、上記バブリング処理により、気液分離手段４では、試料水Ｓ０からガスＧが分離される。つまり、ガスＧ中には、試料水Ｓ０中の硫化物、即ち、硫化水素（Ｈ2Ｓ）が気化して含まれており、このガスＧは、試料水Ｓ０中からガス貯留部４ｂへと分離され、前処理槽２から除去される。
【００４３】
バブリング処理による硫化物処理時間は、試料水Ｓ０中の硫化水素（Ｈ2Ｓ）の量によって適宜変更し得る。一例を挙げれば、例えば、試料水Ｓ０が１０ｍｇ／Ｌの硫化物含む場合には、前処理槽３の温度を２℃としたとき、試料水（Ｓ０）１００ｍＬに対してエアー（Ｇ０）を０．５Ｌ／ｍｉｎで供給して、１０分程度バブリングすることが好ましい。
【００４４】
バブリング処理が終わると、バルブ９を開とし、硫化水素（硫化物）が除去された気液分離手段４の液貯留部４ａに残留した試料水（即ち、被検液）Ｓ１が、シアン計１００に設けられたポンプ（図示せず）を駆動して所定量だけシアン計１００へと供給され、シアン濃度が測定される。
【００４５】
本実施例によると、シアン濃度が、高精度にて得られる。
【００４６】
シアン化物イオン電極を備えたシアン計１００及びシアン濃度測定原理は、当業者には周知であるので、これ以上の説明は省略する。
【００４７】
シアン濃度測定が終わると、前処理槽２中の試料水Ｓ１は、バルブ１０を介して排出され、次の試料水のシアン濃度測定が上述と同様にして行われる。
【００４８】
実施例２
図２に、本発明の第二の実施例に従ったバッチ式のシアン濃度測定装置の概略構成を示す。
【００４９】
本実施例にて、シアン濃度測定装置１は、実施例１と同様に、被検液中のシアンイオン濃度を測定するイオン電極式シアン計（シアン分析計）１００を備えている。本実施例によれば、シアン計の前処理手段２として、第１及び第２の前処理手段２Ａ、２Ｂ、即ち、気液分離前処理槽３Ａ及び吸収前処理槽３Ｂが設けられており、両槽３Ａ、３Ｂは、バルブ（三方弁）１１で連結されている。
【００５０】
本実施例によると、第１の前処理槽（気液分離前処理槽３Ａ）は、実施例１と異なり、温調槽とされる。本実施例においても、上記実施例１の前処理槽と同様に、シアン化水素（ＨＣＮ）の沸点である２５．７℃未満で氷結しない温度、好ましくは、２℃〜１０℃、に維持して、硫化水素を除去することができる。
【００５１】
また、別法として、初期時には、即ち、硫化水素を除去するに際しては、上述のように、２５．７℃未満で氷結しない温度とし、硫化水素除去後においては、２５．７℃以上、１００℃未満、本実施例では、４０℃に維持する、といった組合せ制御も可能とされる。この場合には、シアン化水素の気相への移動が早まり、測定時間の短縮を図ることができる。
【００５２】
更に説明すると、第１の気液分離前処理槽３Ａは、実施例１と同様に、ヘッドスペース利用型、或いは、気液分離体型、などとされる気液分離手段４を備えており、所定量の試料水Ｓ０がポンプ５及びバルブ６を介して気液分離手段４に供給される。
【００５３】
また、気液分離処理槽３Ａの気液分離手段４へと供給される試料水Ｓ０は、実施例１と同様に、アルカリ性であることが好ましく、従って、事前にｐＨ調整することが好ましい。つまり、試料水Ｓ０は、中性以下、即ち、ｐＨ７以下が好ましく、効率は低下するが、ｐＨ８．５までは許容し得る。
【００５４】
また、実施例１と同様に、気液分離手段４の液貯留部４ａには、液撹拌手段が配置される。本実施例においても、液撹拌手段としては、液貯留部４ａに、ポンプ５及びバルブ６を介してエアー（清浄エアー）Ｇ０を供給し、バブリング処理することにより実施される。
【００５５】
上記バブリング処理により、気液分離手段４では、試料水Ｓ０からガスＧが発生する。ガスＧは、試料水中の硫化物、即ち、硫化水素（Ｈ2Ｓ）が気化して含まれており、試料水中から分離される。
【００５６】
バブリングによる硫化物処理時間は、試料水Ｓ０中の硫化水素（Ｈ2Ｓ）の量によって適宜変更し得るが、例えば、試料水Ｓ０が１０ｍｇ／Ｌの硫化物（硫化水素）含む場合には、前処理槽の温度を２℃としたとき、試料水（Ｓ０）１００ｍＬに対してエアー（Ｇ０）を０．５Ｌ／ｍｉｎで供給して、１０分程度バブリングすることが好ましい。
【００５７】
上記所定時間のバブリング処理は、バルブ１１の外気へのポート１１ａを開とし、第２の処理槽である吸収前処理槽３Ｂへの連通ポート１１ｂは閉として行われる。従って、気液分離前処理槽３Ａへと送給された試料水Ｓ０中からの気化された硫化水素を含むガスＧ１は、外気へと排出される。
【００５８】
斯かる所定時間のバブリング処理が終わると、バルブ１１の外気へのポート１１ａを閉とし、第２の吸収前処理槽３Ｂへの連通ポート１１ｂは開とされる。また、必要に応じて、第１の気液分離処理槽３Ａの温度が上昇される。
【００５９】
これにより、硫化水素が実質的に除去された試料水Ｓ１から、気液分離手段４のガス貯留部４ｂへと分離されたガスＧ２が連通ポート１１ｂを介して第２の吸収前処理槽３Ｂへと供給される。
【００６０】
つまり、実施例１では、硫化水素が除去された気液分離手段４の液貯留部４ａに残留した試料水（即ち、被検液）Ｓ１が、バルブ９を介してシアン計１００へと送給され、シアン化物イオン濃度が測定された。これに対して、本実施例によれば、気液分離手段４にて硫化水素が除去された後、硫化水素を含まない気相のシアン化水素を含むガスＧ２がバルブ１１を介して吸収前処理槽３Ｂへと送給される。
【００６１】
吸収前処理槽３Ｂには、ポンプ１２により所定量の吸収液としてのアルカリ性溶液Ｓ２が供給されて収容されており、吸収前処理槽３Ｂに送給された気相のシアン化水素を吸収し、被検液Ｓ３が生成される。吸収前処理槽３Ｂ中のエアーＧａは、外部に排出される。前記アルカリ性溶液としては、例えば、０．１ＭのＮａＯＨ溶液が好適である。
【００６２】
次いで、吸収前処理槽３Ｂ中のシアン化物を含むアルカリ性溶液、即ち、被検液Ｓ３が、バルブ１３を介してシアン計１００へと供給される。シアン計１００におけるシアン化物イオン濃度測定原理は、当業者には周知であるので、これ以上の説明は省略する。
【００６３】
シアン濃度測定が終わると、第１及び第２前処理槽３Ａ、３Ｂ中の試料水Ｓ１、被検液Ｓ３等は、バルブ１０、１４を介して排出され、次の試料水のシアン濃度測定が上述と同様にして行われる。
【００６４】
このように、本実施例は、実施例１と同様の作用効果を達成し得ると共に、更に、中間にガス化状態を挟んだことによって、多くの夾雑物の影響から解放される、といった利点がある。
【００６５】
実施例３
図３に、本発明の第三の実施例に従ったバッチ式のシアン濃度測定装置１の概略構成を示す。
【００６６】
本実施例にて、シアン濃度測定装置１は、実施例２における第２前処理槽３Ｂが除去され、且つ、シアン計１００の代わりに、シアン化水素ガスセンサを備えたシアン計、即ち、ＨＣＮガス計（例えば、東亜ディーケーケー株式会社製「ＣＮＨ型２４０シリーズ」：商品名）２００が配置された点で相違し、その他の構成は実施例２と同様である。従って、同じ構成及び機能を成す部材には、同じ参照番号を付し、実施例２の説明を援用する。
【００６７】
本実施例によれば、前処理手段２として、実施例２と同じ構成及び機能を成す第１の気液分離前処理槽３Ａを備えており、実施例２と同様にして前処理槽３Ａの気液分離手段４にて硫化水素が除去される。その後、硫化水素を含まない気相のシアン化水素を含むガスＧ２が、流量０．１〜３Ｌ／ｍｉｎ、好ましくは０．５〜１Ｌ／ｍｉｎにて、バルブ１１を介して直接ＨＣＮガス計２００へと送給され、シアン濃度が測定される。シアン化水素ガスセンサを備えたＨＣＮガス計２００及びシアン濃度測定原理は、当業者には周知であるので、これ以上の説明は省略する。
【００６８】
シアン濃度測定が終わると、前処理槽中３Ａの試料水Ｓ１は、バルブ１０を介して排出され、次の試料水のシアン濃度測定が上述と同様にして行われる。
【００６９】
このように、本実施例は、実施例１と同様の作用効果を達成し得ると共に、更に、シンプルな構造で安価なガス計を用いる、といった利点がある。
【００７０】
実施例４
図４に、本発明の第四の実施例に従った連続フロー式のシアン濃度測定装置１の概略構成を示す。本実施例のシアン濃度測定装置１は、実施例１にて説明したバッチ式のシアン濃度測定装置１と基本構成においては同様の構成とされ、ただ、本実施例の場合は、連続測定が可能な連続フロー式とされる点で相違する。従って、同じ構成及び機能を成す部材には、実施例１のシアン濃度測定装置と同じ参照番号を付し、実施例１の説明を援用し、ここでの再度の説明は省略する。本実施例では、連続フロー式とされるために、実施例１におけるバルブ６、８、９、１０などは設けられていない。
【００７１】
本実施例のシアン濃度測定装置１も又、実施例１の装置と同様に、シアン計の前処理手段２として、前処理槽３を備えている。前処理槽３は、恒温槽とされ、シアン化水素（ＨＣＮ）の沸点である２５．７℃未満で氷結しない温度、好ましくは、２℃〜１０℃、に維持されている。
【００７２】
また、前処理槽３には、ヘッドスペース利用型、或いは、気液分離体型、などととされる気液分離手段４を備えており、気液分離手段には、試料水Ｓ０と、本実施例によると、所定量のエアー（清浄エアー）Ｇ０が、それぞれ、ポンプ５、７により連続的に供給される。
【００７３】
気液分離手段４に連続的に供給される試料水Ｓ０は、連続的に供給されるエアーＧ０によるバブリング処理され、試料水Ｓ０中の硫化物、即ち、硫化水素（Ｈ2Ｓ）は気化し、試料水Ｓ０中から分離され、前処理槽３から除去される。一方、硫化水素が除去された気液分離手段４の液貯留部４ａに残留した試料水（即ち、被検液）Ｓ１は、連続的にシアン計１００へと送給される。
【００７４】
一具体例を示せば、試料水Ｓ０が１０ｍｇ／Ｌの硫化物（硫化水素）含む場合には、前処理槽３の温度を２℃としたとき、液貯留部４ａの容積１００ｍＬの気液分離手段４に試料水Ｓ０を５０ｍＬ／ｍｉｎにて供給し、エアーＧ０を５Ｌ／ｍｉｎで供給し、また、気液分離手段４の液貯留部４ａから被検液Ｓ１を１０ｍＬ／ｍｉｎにて連続的にシアン計１００へと送給した場合には、シアン計１００へと送給される被検液Ｓ１中には、実質的に硫化水素は残存していなかった。
【００７５】
このように、本実施例は、実施例１と同様の作用効果を達成し得ると共に、更に、試料水中のシアン濃度を連続的に測定可能である。
【００７６】
実施例５
図５に、本発明の第五の実施例に従った連続フロー式のシアン濃度測定装置１の概略構成を示す。本実施例のシアン濃度測定装置１は、実施例２にて説明したバッチ式のシアン濃度測定装置１と基本構成においては同様の構成とされ、ただ、本実施例の場合は、連続測定が可能な連続フロー式とされる点で相違する。従って、同じ構成及び機能を成す部材には、実施例２のシアン濃度測定装置１と同じ参照番号を付し、実施例２の説明を援用し、ここでの再度の説明は省略する。本実施例では、連続フロー式とされるために、実施例２におけるバルブ６、８、１０、１１、１３、１４などは設けられていない。一方、第１及び第２処理槽３Ａ、３Ｂを連結する配管路にポンプ１５が配置されている。
【００７７】
本実施例のシアン濃度測定装置１も又、実施例２の装置と同様に、シアン計の前処理手段２として、第１及び第２の前処理手段２Ａ、２Ｂ、即ち、第１及び第２の前処理槽３Ａ、３Ｂを備えている。
【００７８】
本実施例によると、第１の気液分離前処理槽３Ａは、実施例２と異なり、恒温槽とされる。従って、本実施例によれば、上記実施例１の前処理槽３と同様に、シアン化水素（ＨＣＮ）の沸点である２５．７℃未満で氷結しない温度、好ましくは、２℃〜１０℃、に維持して、硫化水素を除去する構成とされる。
【００７９】
また、第１前処理槽３Ａは、実施例２と同様に、ヘッドスペース利用型、或いは、気液分離体型、などととされる気液分離手段４を備えており、気液分離手段４には、試料水Ｓ０と、本実施例によると、所定量のエアー（清浄エアー）Ｇ０が、それぞれ、ポンプ５、７により連続的に供給される。
【００８０】
気液分離手段４に連続的に供給される試料水Ｓ０は、連続的に供給されるエアーＧ０によるバブリング処理され、試料水中の硫化物、即ち、硫化水素（Ｈ2Ｓ）は気化し、試料水Ｓ０中から分離される。この硫化水素を含むガスは、前処理槽３Ａから外部へと除去される。
【００８１】
上記実施例４では、硫化水素が除去された気液分離手段４の液貯留部４ａに残留した試料水（即ち、被検液）Ｓ１が、連続的にシアン計１００へと送給され、シアン化物イオン濃度が測定されたが、本実施例によれば、気液分離手段４にて硫化水素が除去された後、硫化水素を含まない気相のシアン化水素を含むガスＧ１がポンプ１５により所定の流量にて第２の吸収前処理槽３Ｂへと送給される。
【００８２】
吸収前処理槽３Ｂには、吸収液としてのアルカリ性溶液Ｓ２がポンプ１２により、シアン化水素に対して一定の流量比にて供給される。これにより、吸収前処理槽３Ｂに送給された気相のシアン化水素は、アルカリ性溶液Ｓ２により吸収される。また、吸収前処理槽３Ｂ中のエアーＧａは、外部に排出される。アルカリ性溶液Ｓ２としては、例えば、０．１ＭのＮａＯＨ溶液が好適である。
【００８３】
次いで、第２の吸収前処理槽中のシアン化物を含む被検液Ｓ３が、ポンプを内蔵したシアン計１００へと供給される。
【００８４】
一具体例を示せば、試料水が１０ｍｇ／Ｌの硫化物（硫化水素）含む場合には、第１前処理槽３Ａの温度を２℃としたとき、液貯留部４ａの容積が１００ｍＬの気液分離手段４に試料水Ｓ０を５０ｍＬ／ｍｉｎにて供給し、エアーＧ０を５Ｌ／ｍｉｎで供給し、また、気液分離手段４のガス貯留部４ｂからシアン化水素を含むガスＧ１を第２前処理槽３Ｂ内のアルカリ性溶液Ｓ２中へと１Ｌ／ｍｉｎにて連続的に供給した。このとき、アルカリ性溶液Ｓ２は、液貯留容積２０ｍＬの吸収前処理槽３Ｂ内へとは、１０ｍＬ／ｍｉｎにて連続的に供給した。
【００８５】
このように、本実施例は、実施例２と同様の作用効果を達成し得ると共に、更に、試料水中のシアンイオン濃度を連続的に測定可能である。
【００８６】
実施例６
図６に、本発明の第六の実施例に従った連続フロー式のシアン濃度測定装置１の概略構成を示す。本実施例のシアン濃度測定装置１は、実施例３にて説明したバッチ式のシアン濃度測定装置１と基本構成においては同様の構成とされ、ただ、本実施例の場合は、連続測定が可能な連続フロー式とされる点で相違する。
【００８７】
本実施例では、連続フロー式とされるために、実施例３の構成と比較すると、実施例３におけるバルブ６、８、１０、１１などは設けられていない。一方、前処理槽３ＡとＨＣＮガス計２００とを連結する配管路にポンプ１５が配置されている。
【００８８】
また、本実施例のシアン濃度測定装置１は、連続フロー式とされる点では、実施例５の装置と同様とされ、ただ、実施例５における第２前処理槽３Ｂが除去され、シアン計１００の代わりにＨＣＮガス計２００が配置された点で相違し、その他の構成は実施例５と同様であるので、同じ構成及び機能を成す部材には、同じ参照番号を付し、実施例５の説明を援用する。
【００８９】
本実施例によれば、前処理手段２として、実施例５と同じ構成及び機能を成す第１前処理槽３Ａを備えており、実施例５と同様にして第１前処理槽３Ａの気液分離手段４にて硫化水素が除去される。その後、硫化水素を含まない気相のシアン化水素を含むガスＧ１がポンプ１５により直接ＨＣＮガス計２００へと送給され、シアン濃度が測定される。シアン計２００へのガスＧ１の流量は、０．１〜３Ｌ／ｍｉｎ、好ましくは、０．５〜１Ｌ／ｍｉｎである。
【００９０】
このように、本実施例は、実施例３と同様の作用効果を達成し得ると共に、更に、試料水中のシアン濃度を連続的に測定可能である。
【図面の簡単な説明】
【００９１】
【図１】本発明に係るシアン濃度測定装置の一実施例を示す概略構成図である。
【図２】本発明に係るシアン濃度測定装置の他の実施例を示す概略構成図である。
【図３】本発明に係るシアン濃度測定装置の他の実施例を示す概略構成図である。
【図４】本発明に係るシアン濃度測定装置の他の実施例を示す概略構成図である。
【図５】本発明に係るシアン濃度測定装置の他の実施例を示す概略構成図である。
【図６】本発明に係るシアン濃度測定装置の他の実施例を示す概略構成図である。
【図７】温度によって、シアン化物イオン（ＣＮ-）の溶液残存時間が異なることを示す図である。
【図８】酸性域（ｐＨ１．７）でも、シアン化物の溶液残存時間が長いことを示す図である。
【図９】低温域で、シアン化物と硫化物の溶液残存時間が大きく異なることを示す図である。
【符号の説明】
【００９２】
１    シアン濃度測定装置
２    前処理手段
３    前処理槽
３Ａ  気液分離前処理槽
３Ｂ  吸液前処理槽
４    気液分離手段
４ａ  液貯留部
４ｂ  ガス貯留部
５、７、１２、１５    ポンプ
６、８、９、１０、１１、１３、１４    バルブ
１００    シアン分析計
２００    ＨＣＮガス計
【図１】
2008076235.tif 000003
【図２】
2008076235.tif 000004
【図３】
2008076235.tif 000005
【図４】
2008076235.tif 000006
【図５】
2008076235.tif 000007
【図６】
2008076235.tif 000008
【図７】
2008076235.tif 000009
【図８】
2008076235.tif 000010
【図９】
2008076235.tif 000011